(57)【特許請求の範囲】
【請求項１】
放送局から送信された番組情報を搭載するＥＰＧデータから番組のタイトル一覧でなる記録タイトルリストデータを生成する記録タイトルリストデータ生成手段と、
特定文字及び記号を用いて上記記録タイトルリストデータにおける記録タイトルリストの表示形態を決定する表示形態決定手段と、
決定された上記表示形態で上記記録タイトルリストを表示画面上に表示する表示手段と、
上記記録タイトルリストにおける番組タイトルを上記表示画面上の先頭位置に表示するメインタイトルと、鉤括弧で表示するサブタイトルとに分割して表示するタイトル表示分割手段と、
上記番組タイトルを上記表示画面上の予め決められた範囲に表示する場合に、上記タイトル分割手段によって分割された上記サブタイトルに対して上記鉤括弧を削除して表示すると共に、上記メインタイトルに対して文字を所定の大きさに縮小して表示するように制御する表示制御手段と
を具える情報処理装置。
【請求項２】
放送局から送信された番組情報を搭載するＥＰＧデータから番組のタイトル一覧でなる記録タイトルリストデータを生成する記録タイトルリストデータ生成ステップと、
特定文字及び記号を用いて上記記録タイトルリストデータにおける記録タイトルリストの表示形態を決定する表示形態決定ステップと、
決定された上記表示形態で上記記録タイトルリストを表示画面上に表示する表示ステップと、
上記記録タイトルリストにおける番組タイトルを上記表示画面上の先頭位置に表示するメインタイトルと、鉤括弧で表示するサブタイトルとに分割して上記表示画面に表示するタイトル表示分割ステップと、
上記番組タイトルを上記表示画面上の予め決められた範囲に表示する場合に、上記タイトル分割手段によって分割された上記サブタイトルに対して上記鉤括弧を削除して表示すると共に、上記メインタイトルに対して文字を所定の大きさに縮小して表示するように制御する表示制御ステップと
を具える情報処理方法。
【発明の詳細な説明】
【０００１】
【発明の属する技術分野】
本発明は情報処理装置及び情報処理方法に関し、例えば放送局から送られてくる放送波を受信して当該放送波に応じた画像をモニタに表示する受信機に適用して好適なものである。
【０００２】
【従来の技術】
従来、アナログ地上波放送による放送サービスを行っている放送局は、使用可能な周波数帯域が予め割り当てられており、当該割り当てられた周波数帯域を用いて自局の番組データを送信するようになされている。視聴者宅に設置されている受信機（以下、これをＩＲＤ（Integrated Receiver Decoder ）と呼ぶ）は、視聴者が行う選局操作に応じて、各放送局からそれぞれ送られてくる番組データのうち所望の放送局の番組データを選択し、当該選択した放送局の番組データをデコードして外部のモニタに表示する。
【０００３】
【発明が解決しようとする課題】
ところでアナログ地上波放送システムにおいては、各放送局からそれぞれ提供される番組を視聴者に知らせることを目的として、電子番組ガイド情報（以下、これをＥＰＧ（Electronic Program Guide）データと呼ぶ）と呼ばれる各番組の内容を示すデータを、特定の放送局から定期的に配信することが提案されている。このＥＰＧデータは、番組タイトル、放送日時、放送チャンネル、番組の説明などの情報からなり、視聴者が視聴する番組を決定する際の判断材料となるものである。
【０００４】
この場合、ＩＲＤは、ＥＰＧデータを送信する放送局から定期的に送られてくるＥＰＧデータを受信してメモリに記憶しておき、視聴者の表示操作に応じて、このＥＰＧデータをメモリから読み出して外部のモニタに表示する。これにより視聴者は、モニタに表示されたＥＰＧデータを目視して、視聴する番組を決定することができる。
【０００５】
ところで、モニタの表示画面のうちＥＰＧデータを表示する表示領域は限られていることから、番組タイトルが長い場合には当該番組タイトルの一部しかモニタに表示できないことがある。その際、視聴者は、モニタに表示されているＥＰＧデータをスクロール操作するなどして、一部しか表示されていない番組タイトルの表示されていない部分を表示させなければならず、この場合、番組タイトルを把握するのに手間がかかる問題があった。
【０００６】
本発明は以上の点を考慮してなされたもので、表示手段を目視するだけで容易に見出し情報を把握し得る情報処理装置及び情報処理方法を提案しようとするものである。
【０００７】
【課題を解決するための手段】
かかる課題を解決するため本発明においては、放送局から送信された番組情報を搭載するＥＰＧデータから番組のタイトル一覧でなる記録タイトルリストデータを生成する記録タイトルリストデータ生成手段と、特定文字及び記号を用いて記録タイトルリストデータにおける記録タイトルリストの表示形態を決定する表示形態決定手段と、決定された表示形態で記録タイトルリストを表示画面上に表示する表示手段と、記録タイトルリストにおける番組タイトルを表示画面上の先頭位置に表示するメインタイトルと、鉤括弧で表示するサブタイトルとに分割して表示するタイトル表示分割手段と、番組タイトルを表示画面上の予め決められた範囲に表示する場合に、タイトル分割手段によって分割されたサブタイトルに対して鉤括弧を削除して表示すると共に、メインタイトルに対して文字を所定の大きさに縮小して表示するように制御する表示制御手段とを設けることにより、限られた表示領域に応じた形態で番組タイトルを表示することができる。
【０００８】
【発明の実施の形態】
以下図面について、本発明の一実施の形態を詳述する。
【０００９】
（１）アナログ地上波放送システムの構成
図１において、１は全体としてアナログ地上波放送システムの構成を示し、各放送局に設置されている送信装置２Ａ〜２Ｎは、番組の映像信号及び音声信号を送信アンテナ３Ａ〜３Ｎを介してそれぞれ送信する。中継装置４は、送信装置２Ａ〜２Ｎから送信された放送波をそれぞれ中継して、各視聴者宅に設置されている受信機（以下、これをＩＲＤ（Integrated Receiver Decoder ）と呼ぶ）５に配信する。
【００１０】
情報処理装置としてのＩＲＤ５は、複数の放送局からそれぞれ配信される放送波を受信アンテナ６によって受信し、視聴者がリモートコマンダ７を介してする選局操作に応じて、受信した複数の放送局の番組データの中から指定された放送局の番組データを選択し、当該選択された放送局の番組データを復調して表示手段としてのモニタ８に出力して表示する。
【００１１】
（２）ＩＲＤの構成
図２に示すように、ＩＲＤ５は、リモートコマンダ７（図１）から赤外線に重畳されて送信される命令信号Ｓ１をリモートコマンダ受信部１０において受信し、当該命令信号Ｓ１を電気信号に変換して命令信号Ｓ２を生成した後、これをＣＰＵ（Central Processing Unit ）１１に送出する。
【００１２】
ＣＰＵ１１は、ＲＯＭ（Read Only Memory）１２に格納されている制御プログラムを必要に応じて読み出し、当該読み出した制御プログラムをＲＡＭ（Random Access Memory）１３に転送して展開する。そしてＣＰＵ１１は、このＲＡＭ１３に展開された制御プログラムを読み出して実行することによりＩＲＤ５の各回路を制御するようになされている。
【００１３】
ＣＰＵ１１は、リモートコマンダ受信部１０から送出された命令信号Ｓ２を解析し、その結果、視聴者がリモートコマンダ７（図１）において選局操作を行ったと判断した場合には、当該選局操作に応じたチャンネル選択信号Ｓ３を生成し、これをチューナ１５に送出する。
【００１４】
チューナ１５は、受信アンテナ６（図１）によって受信した放送波の中からチャンネル選択信号Ｓ３に応じたチャンネル（放送局）の放送波を抽出し、当該抽出したチャンネルの放送波を復調することにより音声信号Ｓ５及び映像信号Ｓ６を生成し、このうち音声信号Ｓ５を音声処理部１６に送出する一方、映像信号Ｓ６を映像処理部１７に送出する。
【００１５】
音声処理部１６は、音声信号Ｓ５をアナログディジタル変換した後、ＭＰＥＧ（Moving Picture Experts Group）規格に基づく符号化方式によって圧縮符号化し、その結果得られる音声符号化データＳ７を多重／分離部１８を介して音声デコーダ１９に送出する。映像処理部１７は、映像信号Ｓ６をアナログディジタル変換した後、ＭＰＥＧ規格に基づく符号化方式によって圧縮符号化し、その結果得られる映像符号化データＳ８を多重／分離部１８を介して映像デコーダ２０に送出する。
【００１６】
音声デコーダ１９は、音声符号化データＳ７を伸長復号化し、その結果得た音声データＳ９をディジタルアナログ（Ｄ／Ａ）変換回路２１に送出する。Ｄ／Ａ変換回路２１は、この音声データＳ９をディジタルアナログ変換することにより音声処理部１６に入力される前の音声信号Ｓ１０を復元し、これをモニタ８（図１）に出力する。
【００１７】
映像デコーダ２０は、映像符号化データＳ８を伸長復号化し、その結果得た映像データＳ１１をＲＧＢエンコーダ２２に送出する。ＲＧＢエンコーダ２２は、映像データＳ１１をＮＴＳＣ（National Television System Committee）方式の輝度信号及び色差信号に変換すると共にディジタルアナログ変換することにより映像信号Ｓ１２を生成し、これをモニタ８（図１）に送出する。
【００１８】
かくしてモニタ８（図１）の表示画面８Ａには、視聴者が選択した番組の映像が表示されると共に、当該モニタ８のスピーカから、視聴者が選択した番組の音声が出力される。
【００１９】
ところでアナログ地上波放送システム１においては、各放送局からそれぞれ提供される番組を視聴者に知らせることを目的として、電子番組ガイド情報（以下、これをＥＰＧ（Electronic Program Guide）データと呼ぶ）と呼ばれる番組の説明データを、特定の放送局から定期的に配信するようになされている。
【００２０】
このＥＰＧデータは、番組毎に生成されるものであり、図３に示すように、番組固有の番組ＩＤ（IDentification）、送信元の放送局番号、送信元の放送局名、番組の開始時間、番組の長さ（又は終了時間）、番組タイトル、当該番組タイトルを補完する番組サブタイトル、番組説明及び番組のジャンルのような情報からなり、視聴者が視聴する番組を決定する際の判断材料となっている。因みに、番組ＩＤ、放送局番号及びジャンルはコードデータで表され、放送局名、番組タイトル、番組サブタイトル及び番組説明はテキストデータで表され、開始時間及び長さは時間データで表される。
【００２１】
特定の放送局に設置されている送信装置２は、例えば１週間分のＥＰＧデータを映像信号の垂直帰線消去期間（ＶＢＩ：Vertical Blanking Interval）に重畳して、例えば深夜や早朝などの時間帯を使って毎日定期的に送信する。
【００２２】
この場合、ＩＲＤ５のチューナ１５は、受信アンテナ６（図１）によって受信した放送波の中からＥＰＧデータが重畳されているチャンネルの放送波を抽出し、当該抽出したチャンネルの放送波を復調することにより映像信号Ｓ１５を生成してこれをＶＢＩスライサ２５に送出する。
【００２３】
ＶＢＩスライサ２５は、映像信号Ｓ１５からＥＰＧデータＳ１６を抽出し、これをバスＢＵＳを介してＲＡＭ１３に転送して記憶する。このようにしてＩＲＤ５は、ＲＡＭ１３に記憶されているＥＰＧデータＳ１６を毎日更新し、常に最新のＥＰＧデータＳ１６をＲＡＭ１３に蓄積しておくようになされている。
【００２４】
この状態において、視聴者がリモートコマンダ７（図１）においてＥＰＧ画面を表示するための操作を行うと、リモートコマンダ７はＥＰＧ画面を表示するための命令信号Ｓ１をリモートコマンダ受信部１０に送信する。リモートコマンダ受信部１０は、この命令信号Ｓ１を電気信号でなる命令信号Ｓ２に変換して、これをＣＰＵ１１に送出する。
【００２５】
ＣＰＵ１１は、命令信号Ｓ２が供給されたことを検出すると、ＲＯＭ１２に格納されている文字や記号等の辞書データを基にＲＡＭ１３上でＥＰＧデータＳ１６に対してグラフィック処理を施すことによりＥＰＧ画面データＳ１７を生成し、これをバスＢＵＳを介してグラフィックエンジン２６に送出する。
【００２６】
グラフィックエンジン２６は、ＥＰＧ画面データＳ１７をＮＴＳＣ方式の輝度信号及び色差信号に変換すると共にディジタルアナログ変換することによりＥＰＧ画像信号Ｓ１８を生成し、これをＲＧＢエンコーダ２２に送出する。ＲＧＢエンコーダ２２は、映像信号Ｓ１２とＥＰＧ画像信号Ｓ１８とを混合してモニタ８（図１）に出力し、当該ＥＰＧ画像信号Ｓ１８に応じたＥＰＧ画面をモニタ８の表示画面８Ａに表示する。
【００２７】
ところで、視聴者がリモートコマンダ７（図１）において番組の映像及び音声を記録するための操作を行うと、リモートコマンダ７は記録動作を行うための命令信号Ｓ１をリモートコマンダ受信部１０に送信する。リモートコマンダ受信部１０は、この命令信号Ｓ１を電気信号でなる命令信号Ｓ２に変換してＣＰＵ１１に送出する。
【００２８】
ＣＰＵ１１は、この命令信号Ｓ２が供給されたことを検出すると、バスＢＵＳを介して各回路の動作を制御することにより、リモートコマンダ７（図１）において指定された番組の映像及び音声を記録させるようになされている。このとき多重／分離部１８は、チューナ１５及び音声処理部１６を順次介して得られる音声符号化データＳ７と、チューナ１５及び映像処理部１７を順次介して得られる映像符号化データＳ８とを多重化して多重化データＳ２０を生成し、これを記録メディア部３０に転送して内蔵する記録メディア（図示せず）に記録する。
【００２９】
その際、ＣＰＵ１１は、視聴者によって指定された番組の記録が終了したと判断すると、ＲＡＭ１３に予め格納されているＥＰＧデータＳ１６を基に、記録メディア部３０に記録されている番組のタイトルの一覧でなる記録タイトルリストデータＳ２１を生成し、これをフラッシュメモリ３１に格納する。ＣＰＵ１１は、記録メディア部３０に新たに番組が記録される毎に記録タイトルリストデータＳ２１を更新することにより、常に最新の記録タイトルリストデータＳ２１をフラッシュメモリ３１に蓄積するようになされている。
【００３０】
この状態において、視聴者がリモートコマンダ７（図１）において記録タイトルリスト画面を表示するための操作を行うと、リモートコマンダ７は記録タイトルリスト画面を表示するための命令信号Ｓ１をリモートコマンダ受信部１０に送信する。リモートコマンダ受信部１０は、この命令信号Ｓ１を電気信号でなる命令信号Ｓ２に変換して、これをＣＰＵ１１に送出する。
【００３１】
ＣＰＵ１１は、命令信号Ｓ２が供給されたことを検出すると、記録タイトルリストデータＳ２１をＲＡＭ１３に転送し、ＲＯＭ１２に格納されている文字や記号等の辞書データを基にＲＡＭ１３上で記録タイトルリストデータＳ２１に対してグラフィック処理を施すことにより記録タイトルリスト画面データＳ２２を生成し、これをバスＢＵＳを介してグラフィックエンジン２６に送出する。
【００３２】
グラフィックエンジン２６は、記録タイトルリスト画面データＳ２２をＮＴＳＣ方式の輝度信号及び色差信号に変換すると共にディジタルアナログ変換することにより記録タイトルリスト画像信号Ｓ２３を生成し、これをＲＧＢエンコーダ２２に送出する。ＲＧＢエンコーダ２２は、映像信号Ｓ１２と記録タイトルリスト画像信号Ｓ２３とを混合してモニタ８（図１）に出力し、当該記録タイトルリスト画像信号Ｓ２３に応じた記録タイトルリスト画面をモニタ８の表示画面８Ａに表示する。
【００３３】
ここで、視聴者が、モニタ８の表示画面８Ａに表示される記録タイトルリスト画面を目視しながら、リモートコマンダ７（図１）において所望の番組の映像及び音声を再生するための操作を行うと、リモートコマンダ７は再生動作を行うための命令信号Ｓ１をリモートコマンダ受信部１０に送信する。リモートコマンダ受信部１０は、この命令信号Ｓ１を電気信号でなる命令信号Ｓ２に変換してＣＰＵ１１に送出する。
【００３４】
ＣＰＵ１１は、この命令信号Ｓ２が供給されたことを検出すると、バスＢＵＳを介して各回路の動作を制御することにより、リモートコマンダ７（図１）において指定された番組の映像及び音声を再生するようになされている。すなわち記録メディア部３０は、内蔵する記録メディア（図示せず）に記録されている複数の番組の多重化データの中から指定された番組の多重化データＳ２５を読み出し、これを多重／分離部１８に送出する。
【００３５】
多重／分離部１８は、多重化データＳ２５を音声符号化データＳ２６と映像符号化データＳ２７とに分離し、このうち音声符号化データＳ２６を音声デコーダ１９及びＤ／Ａ変換回路２１を順次介して音声信号Ｓ２８を生成し、これをモニタ８（図１）に出力すると共に、映像符号化データＳ２７を映像デコーダ２０及びＲＧＢエンコーダ２２を順次介して映像信号Ｓ２９を生成し、これをモニタ８に送出する。
【００３６】
なおＣＤ−ＲＯＭ（Compact Disc-Read Only Memory ）３５には、定番番組の番組ロゴや当該定番番組の代表的な出演者の顔写真でなる顔写真アイコンが格納されており、ＣＤ−ＲＯＭデコーダ３６にセットされると、当該ＣＤ−ＲＯＭデコーダ３６は、これら番組ロゴや顔写真アイコンのデータを番組を連想させる番組連想データＳ３５としてＣＤ−ＲＯＭ３５から読み出し、これをＣＰＵ１１を介してフラッシュメモリ３１に転送して格納する。
【００３７】
（３）記録タイトルリスト画面及びＥＰＧ画面の表示処理手順
ここではＣＰＵ１１による記録タイトルリスト画面の表示処理手順を説明する。すなわち図４において、表示制御手段として動作するＣＰＵ１１は、記録タイトルリスト画面の表示処理手順ＲＴ１に入ると、続くステップＳＰ１に移って、視聴者がリモートコマンダ７（図１）において記録タイトルリスト画面表示キーを選択したか否かを判断し、肯定結果が得られるまで当該処理ステップＳＰ１を繰り返す。
【００３８】
ステップＳＰ１において肯定結果が得られると、このことは記録タイトルリスト表示キーが選択されたことを表しており、このときＣＰＵ１１はステップＳＰ２に移って、フラッシュメモリ３１からＲＡＭ１３に記録タイトルリストデータＳ２１を転送して展開する。そしてＣＰＵ１１は、ＲＯＭ１２に格納されている文字や記号等の辞書データに基づいて、ＲＡＭ１３に展開されている記録タイトルリストデータＳ２１の中から予め登録されている特定の文字及び記号を抽出する。
【００３９】
そしてＣＰＵ１１は、続くステップＳＰ３に移って、上述のステップＳＰ２において抽出された特定の文字及び記号に基づいて記録タイトルリスト画面の表示形態を決定し、さらに続くステップＳＰ４に移って、決定された表示形態で記録タイトルリスト画面をモニタ８の表示画面８Ａに表示する。そしてＣＰＵ１１はステップＳＰ５において当該処理手順を終了する。
【００４０】
ここで図５は、記録タイトルリストデータＳ２１によって表される番組タイトルの一覧を示す。この場合、タイトルナンバーＴＮ１〜ＴＮ４並びにＴＮ６及びＴＮ７の番組タイトルは、当該番組タイトルの先頭に存在するメインタイトルと鉤括弧「」内に存在するサブタイトルとに分けられている。タイトルナンバーＴＮ５の番組タイトルは、当該番組タイトルの先頭に存在するメインタイトルと三角印に続いて存在する複数のコーナータイトルとに分けられ、１つの番組内に複数のコーナーが存在することを示している。
【００４１】
図６は、この記録タイトルリストデータＳ２１に対して図４に示す記録タイトルリスト画面の表示処理手順ＲＴ１を実行することなく記録タイトルリスト画面データＳ２２を生成し、当該生成した記録タイトルリスト画面データＳ２２に応じた記録タイトルリスト画面４０をモニタ８の表示画面８Ａに表示した場合の表示例を示す。
【００４２】
この場合、モニタ８の表示画面８Ａのうち記録タイトルリスト画面４０を表示する表示領域は限られていることから、番組タイトルが長いと当該番組タイトルの一部しか表示画面８Ａに表示できない。
【００４３】
そこでＣＰＵ１１は、記録タイトルリスト画面を表示する際、番組タイトルの中から鉤括弧「」を抽出して当該番組タイトルをメインタイトルとサブタイトルとに分け、当該鉤括弧「」を外しながらメインタイトルを縮小表示すると共に、当該番組タイトルの中から感嘆符！を抽出し、当該感嘆符！の直前に存在するカタナカ表記の文字列を半角表示することにより、図７に示すような記録タイトルリスト画面４１を生成し、これをモニタ８の表示画面８Ａに表示させる。
【００４４】
このようにメインタイトルを縮小してなる記録タイトルリスト画面４１をモニタ８の表示画面８Ａに表示することにより、サブタイトルを全て表示画面８Ａに表示することができる。これにより視聴者は、モニタ８の表示画面８Ａを目視するだけで容易に番組タイトルを把握することができる。
【００４５】
この記録タイトルリスト画面４１を表示画面８Ａに表示している状態において、視聴者がリモートコマンダ７を介してタイトルナンバーＴＮ５の番組タイトルを選択すると、ＣＰＵ１１は、図８に示すように、タイトルナンバーＴＮ５の番組タイトルに付随して複数の詳細なコーナータイトルを表示してなる記録タイトルリスト画面４２を表示画面８Ａに表示する。
【００４６】
このとき視聴者がリモートコマンダ７において複数のコーナータイトルの中から所望のコーナータイトルを選択すると、ＣＰＵ１１は、当該コーナータイトルの映像及び音声を記録メディア部３０から再生してモニタ８に出力する。このように記録タイトルリスト画面４２に表示される複数のコーナータイトルのうち所望のコーナータイトルを選択するだけで、当該選択されたコーナータイトルの映像及び音声を容易に再生することができる。
【００４７】
なお図９はＥＰＧ画面４３の表示例を示し、図７に示す記録タイトルリスト画面４１の場合と同様に、鉤括弧「」を外してメインタイトルを縮小表示すると共に、感嘆符！の直前に存在するカタカナ表記の文字列を必要に応じて半角表示するようになされている。
【００４８】
（４）実施の形態の動作及び効果
以上の構成において、ＣＰＵ１１は、番組タイトルの一覧をモニタ８の表示画面８Ａに表示する際、各番組タイトルから予め登録されている特定の表示要素をそれぞれ抽出し、当該抽出した特定の表示要素に基づいて番組タイトルのうち番組の内容を理解するのに重要度の低い文字列を縮小してそれぞれ表示することにより、限られた表示画面８Ａ上に重要度の高い文字列を強調しながら各番組タイトルを全て表示することができる。
【００４９】
これにより視聴者は、従来のように一部しか表示されていない番組タイトルの残りの部分を表示するような操作を行うことなく、モニタ８の表示画面８Ａを目視するだけで容易に番組タイトルを把握することができる。
【００５０】
以上の構成によれば、各番組タイトルから予め登録されている特定の表示要素をそれぞれ抽出し、当該抽出した特定の表示要素に基づいて各番組タイトルのうち番組の内容を理解するのに重要度の低い文字列を識別してこれを縮小してそれぞれ表示することにより、限られた表示画面８Ａ上に重要度の高い文字列を強調して表示しながら各番組タイトルを全て表示することができ、かくして視聴者は表示画面８Ａを目視するだけで容易に番組タイトルを把握し得る。
【００５１】
（５）他の実施の形態
なお上述の実施の形態においては、番組タイトルの中から鉤括弧「」を抽出して当該番組タイトルをメインタイトルとサブタイトルとに分け、鉤括弧「」を外した上でメインタイトルを縮小表示する場合について述べたが、本発明はこれに限らず、サブタイトルの色と異なる色でメインタイトルを表示しても良く、またメインタイトル及びサブタイトル間にスペースを設けて表示するようにしても良い。
【００５２】
また上述の実施の形態においては、番組タイトルの中から鉤括弧「」や感嘆符！を抽出し、当該抽出した鉤括弧「」や感嘆符！に基づいて当該番組タイトルの表示形態を決定する場合について述べたが、本発明はこれに限らず、例えば括弧（）、疑問符？又は金曜ロードショーなど特定の表示要素を抽出し、当該抽出した表示要素の種類に基づいて番組タイトルの表示形態を決定するようにしても良い。
【００５３】
また上述の実施の形態においては、番組タイトルの一覧を表示画面８Ａに表示する際の表示形態を決定する場合について述べたが、本発明はこれに限らず、所定の情報の内容を示す見出し情報を表示画面８Ａに表示する際に、見出し情報の一部分を当該見出し情報の残りの部分に比べて縮小して表示する場合に広く適用することができる。
【００５４】
さらに上述の実施の形態においては、本発明をアナログ地上波放送システム１のＩＲＤ５において受信した情報を表示する場合について述べたが、本発明はこれに限らず、ディジタル衛星放送又は有線放送によって配信される情報を表示する場合に広く適用することができる。
【００５５】
【発明の効果】
上述のように本発明によれば、放送局から送信された番組情報を搭載するＥＰＧデータから番組のタイトル一覧でなる記録タイトルリストデータを生成する記録タイトルリストデータ生成手段と、特定文字及び記号を用いて記録タイトルリストデータにおける記録タイトルリストの表示形態を決定する表示形態決定手段と、決定された表示形態で記録タイトルリストを表示画面上に表示する表示手段と、記録タイトルリストにおける番組タイトルを表示画面上の先頭位置に表示するメインタイトルと、鉤括弧で表示するサブタイトルとに分割して表示するタイトル表示分割手段と、番組タイトルを表示画面上の予め決められた範囲に表示する場合に、タイトル分割手段によって分割されたサブタイトルに対して鉤括弧を削除して表示すると共に、メインタイトルに対して文字を所定の大きさに縮小して表示するように制御する表示制御手段とを設けることにより、限られた表示領域に応じた形態で番組タイトルを表示することができ、かくして表示画面を目視するだけで容易に番組タイトルを把握し得る情報処理装置を実現できる。
【図面の簡単な説明】
【図１】本発明によるアナログ地上波放送システムを示すブロック図である。
【図２】本発明による情報表示装置の一実施の形態を示すブロック図である。
【図３】ＥＰＧデータの内容を示す略線図である。
【図４】記録タイトルリスト画面の表示処理手順を示すフローチャートである。
【図５】記録タイトルリストの内容を示す略線図である。
【図６】記録タイトルリスト画面の表示例を示す略線図である。
【図７】記録タイトルリスト画面の表示例を示す略線図である。
【図８】記録タイトルリスト画面の表示例を示す略線図である。
【図９】ＥＰＧ画面の表示例を示す略線図である。
【符号の説明】
１……アナログ地上波放送システム、２……送信装置、４……中継装置、５……ＩＲＤ、７……リモートコマンダ、８……モニタ、８Ａ……表示画面、１０……リモートコマンダ受信部、１１……ＣＰＵ、１２……ＲＯＭ、１３……ＲＡＭ、１５……チューナ、１６……音声処理部、１７……映像処理部、１８……多重／分離部、１９……音声デコーダ、２０……映像デコーダ、２１……Ｄ／Ａ変換回路、２２……ＲＧＢエンコーダ、２５……ＶＢＩスライサ、３０……記録メディア部、３１……フラッシュメモリ。
【図１】
0004324824.tif 000002
【図２】
0004324824.tif 000003
【図３】
0004324824.tif 000004
【図４】
0004324824.tif 000005
【図５】
0004324824.tif 000006
【図６】
0004324824.tif 000007
【図７】
0004324824.tif 000008
【図８】
0004324824.tif 000009
【図９】
0004324824.tif 000010